(57)【要約】【課題】プロテクタにワイヤハーネスを固定する粘着テープが水に濡れて剥がれないようにする。【解決手段】底壁と両側壁とを備えた断面凹形状のプロテクタ本体と、該プロテクタ本体内にワイヤハーネスを挿通した状態と該プロテクタ本体の上面開口を閉鎖する蓋とを備え、前記プロテクタ本体の底壁の長さ方向先端からテープ巻き片を突設し、該テープ巻き片の幅方向の両側にテープ巻き溝を設けると共に該テープ巻き片の突出端に幅を広げたテープ止め部を設け、該テープ止め部にロック部を設ける一方、前記蓋にテープ巻き片の上方および両側部に被せる逆凹形状のテープ遮蔽部を設け、該テープ遮蔽部に前記ロック部と結合する被ロック部を設け、前記プロテクタ本体に挿通したワイヤハーネスに前記テープ巻き溝を通して粘着テープを巻き付けた後に前記蓋のテープ遮蔽部をテープ巻き片に被せ、前記ロック部と被ロック部とをロック結合する構成としている。【選択図】図６
2012085478.tif 000002
【特許請求の範囲】
【請求項１】
底壁と両側壁とを備えた断面凹形状のプロテクタ本体と、該プロテクタ本体内にワイヤハーネスを挿通した状態と該プロテクタ本体の上面開口を閉鎖する蓋とを備え、
前記プロテクタ本体の底壁の長さ方向先端からテープ巻き片を突設し、該テープ巻き片の幅方向の両側にテープ巻き溝を設けると共に該テープ巻き片の突出端に幅を広げたテープ止め部を設け、該テープ止め部にロック部を設ける一方、
前記蓋にテープ巻き片の上方および両側部に被せる逆凹形状のテープ遮蔽部を設け、該テープ遮蔽部に前記ロック部と結合する被ロック部を設け、
前記プロテクタ本体に挿通したワイヤハーネスに前記テープ巻き溝を通して粘着テープを巻き付けた後に前記蓋のテープ遮蔽部をテープ巻き片に被せ、前記ロック部と被ロック部とをロック結合する構成としている自動車用のプロテクタ。
【請求項２】
前記テープ巻き片と共にワイヤハーネスに巻き付ける前記粘着テープは、その巻き終わり端を前記テープ遮蔽部で覆われる上面に位置させ、かつ、巻き付け厚さが前記テープ止め部から外方へ突出しない厚さとしている請求項１に記載の自動車用のプロテクタ。
【請求項３】
上壁と両側壁とを備えた逆凹状の前記テープ遮蔽部は、蓋本体の先端に薄肉ヒンジ部を介して開閉自在に設けている請求項１または請求項２に記載の自動車用のプロテクタ。
【請求項４】
前記蓋のテープ遮蔽部の下部に被ロック部となるロック穴を設け、該ロック穴に連続させた細穴をテープ遮蔽部の下端縁に沿って設けて水抜き穴としている請求項１乃至請求項３のいずれか１項に記載の自動車用のプロテクタ。
【発明の詳細な説明】
【技術分野】
【０００１】
本発明は自動車用のプロテクタに関し、特に、浸水領域に配索されるワイヤハーネスに外装するプロテクタに関する。
【背景技術】
【０００２】
従来、自動車に配索されるワイヤハーネスを外部干渉材から保護すると共に、該ワイヤハーネスの配索経路のガイド用として樹脂成形品からなるプロテクタが用いられている。該プロテクタの内部にワイヤハーネスを挿通するとともに、該プロテクタの出入口より突設した突片とワイヤハーネスとを粘着テープで巻き付けて、プロテクタにワイヤハーネスを固定している。
【０００３】
この種のプロテクタは、特開２００９−９５１９６号公報に開示されているように、粘着テープを用いてプロテクタとワイヤハーネスとを固着している場合が多い。具体的には、図１０（Ａ）に示すように、断面凹形状のプロテクタ本体１００の出入口にテープ巻き部１０１を突設している。図１０（Ｂ）に示すように、プロテクタ本体１００にワイヤハーネスＷ／Ｈを通した後に、ワイヤハーネスＷ／Ｈとテープ巻き部１０１とに粘着テープ１２０を巻き付けて固着している。さらに、図１０（Ｃ）に示すように、プロテクタ本体１００に蓋１１０を被せ、蓋のテープ巻き片１１１を粘着テープ１２０の巻き付け部に被せ、再度、粘着テープ１２１を巻き付けている。なお、プロテクタ本体１００に蓋１１０を被せない場合もある。
【先行技術文献】
【特許文献】
【０００４】
【特許文献１】特開２００９−９５１９６号公報
【発明の概要】
【発明が解決しようとする課題】
【０００５】
自動車のエンジンルーム等の被水領域では、高圧水による洗浄時や、雨天走行時に路面からの飛水で、被水領域に配索されているワイヤハーネスのプロテクタに水がかかる場合が多い。その際、プロテクタに巻き付けている粘着テープに水がかかると粘着テープが剥がれる問題が発生する。
粘着テープが剥がれてワイヤハーネスがプロテクタと固着されないと、自動車の走行振動によりワイヤハーネスがプロテクタの内面に接触離反を繰り返し、ワイヤハーネスに損傷が生じる恐れがあると共に、異音が発生する。また、プロテクタ内でワイヤハーネスの余剰を吸収して、プロテクタ出口側で粘着テープを用いて固着している場合は、プロテクタ外へ余剰の電線が飛び出して、電線が外部干渉材と干渉して損傷を受ける恐れもある。
なお、プロテクタにワイヤハーネスを固定する手段として粘着テープの巻き付けに代えて、樹脂成形品からなるタイバンドを用いる場合があるが、コストの点から粘着テープを用いている場合が多い。
【０００６】
本発明は前記問題に鑑みてなされたもので、プロテクタにワイヤハーネスの電線群を固着する粘着テープが、高圧洗浄水や雨水がかかってテープ剥がれが発生しないようにすることを課題としている。
【課題を解決するための手段】
【０００７】
前記課題を解決するため、本発明は、
底壁と両側壁とを備えた断面凹形状のプロテクタ本体と、該プロテクタ本体内にワイヤハーネスを挿通した状態と該プロテクタ本体の上面開口を閉鎖する蓋とを備え、
前記プロテクタ本体の底壁の長さ方向先端からテープ巻き片を突設し、該テープ巻き片の幅方向の両側にテープ巻き溝を設けると共にテープ巻き片の突出端に幅を広げたテープ止め部を設け、該テープ止め部にロック部を設ける一方、
前記蓋にテープ巻き片の上方および両側部に被せる逆凹形状のテープ遮蔽部を設け、該テープ遮蔽部に前記ロック部と結合する被ロック部を設け、
前記プロテクタ本体に挿通したワイヤハーネスに前記テープ巻き溝を通して粘着テープを巻き付けた後に前記蓋のテープ遮蔽部をテープ巻き片に被せ、前記ロック部と被ロック部とをロック結合する構成としている自動車用のプロテクタを提供している。
【０００８】
前記のように、プロテクタ本体に設けたテープ巻き片を蓋に設けたテープ遮蔽部で覆う構成としているため、このテープ巻き片の上面のワイヤハーネスに巻き付けた粘着テープはテープ遮蔽部およびテープ巻き片で囲まれ、水がかかるのを防止できる。なお、蓋のテープ遮蔽部が被せられないテープ巻き片の下面に水がかかっても、該水は下方へ流れ落ち、テープ遮蔽部で囲まれた粘着テープの側部から上面へと回りこむことはない。
また、テープ遮蔽部はテープ巻き片とロック結合しているため、粘着テープの巻き付け部分を確実に遮蔽することができる。
【０００９】
前記テープ巻き片と共にワイヤハーネスに巻き付ける前記粘着テープは、その巻き終わり端を前記テープ遮蔽部で覆われる上面に位置させ、かつ、巻き付け厚さが前記テープ止め部から外方へ突出しない厚さとしている。
これにより、粘着テープの終端が水に濡れ、該終端からテープ剥がれが生じるのを防止できる。かつ、巻き付けるテープをテープ止め部から膨出させないことにより、テープ遮蔽部の両側部をテープ止め部の側端面にぴったりと添わせて接触させることができると共に、巻き付けた粘着テープとの間に隙間を生じさせず、浸水を防止できる。
【００１０】
上壁と両側壁とを備えた逆凹状の前記テープ遮蔽部は、蓋本体の先端に薄肉ヒンジ部を介して設けることが好ましい。
【００１１】
また、テープ遮蔽部の下部に被ロック部となるロック穴を設け、該ロック穴に連続させた細穴をテープ遮蔽部の下端縁に沿って設け水抜き穴としてもよい。
このように、ロック穴を長穴とすると本体のテープ止め部に設けるロック爪を挿入しやすくでき、かつ、テープ遮蔽部とテープ巻き片で囲まれた空間に何らかの理由で浸水が生じた時、水抜き穴から排水することができる。なお、洗車時に高圧洗浄水が前記水抜き穴から浸水しても、粘着テープの側面（垂直面）にかかるだけであるため、テープの剥がれの要因にはならない。
【００１２】
前記プロテクタ本体に設けるロック部はテープ止め部の側端面に突設したロック爪とし、前記蓋に設ける被ロック部は前記蓋の側壁に設けたロック穴とし、または、
前記プロテクタ本体に設けるロック部はテープ止め部の下端から横向きに突設したロック枠とし、前記蓋に設ける被ロック部は前記蓋の下端に突設したロック爪としている。
【００１３】
本発明のプロテクタは、自動車のエンジンルームなどの浸水領域に配索するワイヤハーネスに外装するものとして好適に用いられる。
【発明の効果】
【００１４】
前記したように、本発明のプロテクタは、ワイヤハーネスを粘着テープを用いてプロテクタに固着する方法を採用しながら、洗車時等において粘着テープが水濡れしてテープ剥がれが生じるのを防止することができる。
【図面の簡単な説明】
【００１５】
【図１】本発明の第１実施形態のプロテクタを示す分解斜視図である。
【図２】図１のプロテクタの分解正面図である。
【図３】プロテクタの本体に蓋を被せた状態の一部水平断面図である。
【図４】プロテクタの本体にワイヤハーネスを挿通した状態を示す斜視図である。
【図５】（Ａ）はプロテクタ本体に挿通したワイヤハーネスにテープを巻き付けている状態を示す要部平面図、（Ｂ）は（Ａ）のＢ−Ｂ線断面図、（Ｃ）はテープ巻き厚さを示す説明図である。
【図６】蓋のテープ遮蔽部を閉鎖方向に回転操作している状態を示す斜視図である。
【図７】プロテクタをワイヤハーネスに外装した状態を示す斜視図である。
【図８】（Ａ）（Ｂ）は第２実施形態の斜視図である。
【図９】（Ａ）（Ｂ）は第３実施形態の斜視図である。
【図１０】（Ａ）（Ｂ）（Ｃ）は従来例を示す図面である。
【発明を実施するための形態】
【００１６】
以下、本発明の実施形態を図面を参照して説明する。
図１乃至図７に第１実施形態のプロテクタを示す。
プロテクタ１は、本体２と、蓋３とからなり、それぞれ樹脂成形品である。本体２は底壁２ａと、両側壁２ｂ、２ｃとからなる断面凹形状で、上面開口としている。蓋３は上壁３ａと、両側壁３ｂ、３ｃとからなる。該蓋３の両側壁３ｂ、３ｃと本体２の両側壁２ｂ、２ｃとは、蓋３で本体２の開口を閉じた状態で、本体２と蓋３に設けたロック部（図示せず）で互いにロック結合している。
【００１７】
前記本体２の長さ方向の両端に開口するワイヤハーネスの出入口５（５Ａ、５Ｂ）は略同一形状としており、底壁２ａの先端にテープ巻き片１０を底壁２ａと同一幅で突設している。該テープ巻き片１０の幅方向の両側には、細幅且つ長尺なコ字形状のテープ巻き溝１１（１１Ａ、１１Ｂ）を切り欠いて形成し、該テープ巻き溝１１に挟まれたテープ巻き部１２の幅方向寸法を狭くしている。前記左右の各テープ巻き溝１１の幅Ｓは１〜２ｍｍ程度としている。テープ巻き片１０の突出端はテープ巻き部１２より幅広なテープ止め部１３としている。この左右のテープ止め部１３の側端面には、ロック爪１５からなるロック部を突設している。
【００１８】
前記蓋３に、前記本体２の上面開口に被せる蓋本体部２０の長さ方向の両端に薄肉ヒンジ部２１を介してテープ遮蔽部２２を設けている。テープ遮蔽部２２は本体２のテープ巻き片１０の上方および幅方向の両側を囲む逆凹形状とし、その上壁２２ａを前記薄肉ヒンジ部２１を介して蓋の上壁３ａと連結している。
【００１９】
前記テープ遮蔽部２２の両側壁２２ｂ、２２ｃは、テープ巻き片１０に被せた状態で、テープ巻き片１０の左右両側面の外面にそれぞれ当接し、テープ巻き溝１１との間にテープ収容空間１８を空けるようにしている。
また、両側壁２２ｂ、２２ｃの突出端側の下部に、前記ロック爪１５を挿入係止するロック穴２４からなる被ロック部を設けている。
【００２０】
図４に示すように、前記プロテクタ１は洗車時に高圧洗浄水が浸水するエンジンルーム内に配索するワイヤハーネス３０に外装している。
該プロテクタ１の本体２にワイヤハーネス３０の電線群を挿通した後に、テープ巻き片１０の上面に乗せられる電線群に、図５に示すように、テープ巻き片１０の下面からテープ巻き溝１１を通して電線群の上面へと粘着テープ３１を巻き付けて、プロテクタ１の出入口にワイヤハーネス３０を固定している。該粘着テープ３１の巻き終わり端３１ａはテープ巻き片１０の上面側に位置する電線群の上面位置としている。また、テープ巻き溝１１に通した粘着テープ３１はテープ止め部１３の側端面の位置から側方に突出させないようにしている。
【００２１】
本体２にワイヤハーネス３０を通し、粘着テープ３１を巻き付けて固着した後に、蓋３を本体２に被せてロック結合する。
【００２２】
ついで、図６に示すように、蓋３のテープ遮蔽部２２を薄肉ヒンジ部２１を支点として下向きに回転させ、テープ巻き片１０に被せ、図３に示すように、両側壁２２ｂ、２２ｃを粘着テープ３１を巻き付けているテープ巻き溝１１の外側に当接させると共にテープ巻き溝１１を挟む長さ方向両側の側端面に当接させる。かつ、両側壁２２ｂ、２２ｃの先端側に設けたロック穴２４にロック爪１５を挿入してロック結合する。
【００２３】
図７に示すように、蓋３のテープ遮蔽部２２をテープ巻き片１０に被せた状態で、ワイヤハーネス３０とテープ巻き片１０とを固着する粘着テープ３１は、その上側と両側の巻き付け部分がテープ遮蔽部２２とテープ巻き部１２とで囲まれる。よって、当該部分の粘着テープ３１はプロテクタ１に高圧洗浄水がかかっても濡れることはない。かつ、粘着テープ３１の巻き終わり位置をテープ遮蔽部２２で囲まれる上面側としているため、粘着テープ３１の終端から水濡れで剥がれていくことはない。さらに、テープ遮蔽部２２の両側壁２２ｂ、２２ｃとテープ巻き片１０の両側のテープ巻き溝１１との隙間は、巻き付ける粘着テープ３１のテープ収容空間１８となる。よって、該隙間からの浸水も防止できる。  また、テープ巻き片１０の下面は外部に露出しているが、水がかかっても自重で落下し、水濡れで粘着テープ３１がワイヤハーネス３０の電線群およびテープ巻き片１０から剥がれることは防止できる。
【００２４】
上記のように、プロテクタの本体２にワイヤハーネス３０を粘着テープ３１で巻き付けて固定しても、蓋３に設けたテープ遮蔽部で粘着テープ３１を覆うことで、プロテクタ１に高圧洗浄水等の水がかかっても粘着テープの剥がれを防止できる。
【００２５】
図８（Ａ）（Ｂ）に第２実施形態を示す。  
本第２実施形態では、蓋３のテープ遮蔽部２２の両側壁２２ｂ、２２ｃの先端の下面からロック爪３５を突設する一方、本体２のテープ止め部１３には側端面からロック枠３６を突設し、該ロック枠３６にロック爪３５を挿入係止してロック結合している。
他の構成は第１実施形態と同様であるため、同一符号を付して説明を省略する。
【００２６】
図９（Ａ）（Ｂ）に第３実施形態を示す。
第３実施形態では、蓋３のテープ遮蔽部２２の両側壁２２ｂ、２２ｃの先端下部に設けたロック穴２４を細長い穴とし、該ロック穴に水抜き穴の機能を持たせている。
該構成とすると、長いロック穴２４にテープ止め部１３に突設するロック爪１５を挿入しやすくなる。かつ、高圧洗浄水がテープ遮蔽部２２の内部に浸水しても、下部の水抜き穴から排水することができる。
【符号の説明】
【００２７】
１  プロテクタ
２  本体
２ａ  底壁
２ｂ、２ｃ  両側壁
３  蓋
３ａ  上壁
３ｂ、３ｃ  両側壁
５  出入口  
１０  テープ巻き片
１１（１１Ａ、１１Ｂ）  テープ巻き溝
１２  テープ巻き部
１３  テープ止め部
１５  ロック爪
２１  薄肉ヒンジ部
２２  テープ遮蔽部
２２ａ  上壁
２２ｂ、２２ｃ  両側壁
２４  ロック穴
３０  ワイヤハーネス
３１  粘着テープ
３１ａ  巻き終わり端
３５  ロック爪  
３６  ロック枠
【図１】
2012085478.tif 000003
【図２】
2012085478.tif 000004
【図３】
2012085478.tif 000005
【図４】
2012085478.tif 000006
【図５】
2012085478.tif 000007
【図６】
2012085478.tif 000008
【図７】
2012085478.tif 000009
【図８】
2012085478.tif 000010
【図９】
2012085478.tif 000011
【図１０】
2012085478.tif 000012